(57)【要約】      （修正有）【課題】偏向ヨークの消費電力を低減させると共に水平偏向コイルと絶縁枠の十分な嵌合（位置規制）を行い、コンバーゼンス等の画面特性のバラツキを低減できる偏向ヨークを提供する。【解決手段】水平偏向コイル９の大径側ベンドアップ１０の巻線を陰極線管管軸方向の電子銃側に陰極線管カーブに沿って落し込み、且つ大径側ベンドアップ１０は絶縁枠４との嵌合（位置規制）に必要な最低限の形状にすることで、従来品では成し得ることのできなかった消費電力を低減し、且つ水平偏向コイル９と絶縁枠の十分な嵌合（位置規制）によるコンバーゼンス等の画面特性のバラツキ低減を両立することができる。【選択図】図３
2004362947.tif 000002
【特許請求の範囲】
【請求項１】
一対の水平偏向コイルと垂直偏向コイルとフェライトコア及びこれらを保持固定する絶縁枠を具備する偏向ヨークであって、水平偏向コイルは鞍型であり、大径側ベンドアップの巻線が陰極線管管軸方向の電子銃側に陰極線管カーブに沿って落とし込まれ、且つベンドアップ形状が大径側ベンドアップの全周あるいは一部の範囲にあることを特徴とする偏向ヨーク。
【請求項２】
前記大径側ベンドアップを用いて前記水平偏向コイルと前記絶縁枠の位置規制を行っていることを特徴とする請求項１記載の偏向ヨーク。
【発明の詳細な説明】
【０００１】
【発明の属する技術分野】
本発明は、テレビジョン受像機等の陰極線管に設置する偏向ヨークに関するものである。
【０００２】
【従来の技術】
偏向ヨークは陰極線管の電子銃から射出される電子ビームを偏向させ、画面を表示させるものであり、一対の水平偏向コイルと垂直偏向コイルとフェライトコア及びこれらを保持固定する絶縁枠から構成されている（例えば特許文献１参照）。
【０００３】
以下、従来の偏向ヨークについて説明する。図５は従来の水平偏向コイルの正面図、図６は従来の水平偏向コイルの側面図、図７は従来の偏向ヨークの構成を示す断面図、図８は従来の水平偏向コイルと絶縁枠の嵌合説明図、図９は従来の水平偏向コイルの大径側ベンドアップの磁力線の説明図、図１０は従来の偏向ヨークの構成を示す断面図、図１１は従来の水平偏向コイル（ベンドアップレス）と絶縁枠の嵌合説明図、図１２は従来の水平偏向コイル有効長と大径側ベンドアップの厚み説明図である。
【０００４】
図５及び図６は従来の水平偏向コイル形状を示している。水平偏向コイル１は大径側ベンドアップ２と小径側ベンドアップ３を有しており、大径側ベンドアップ２の巻線は陰極線管管軸方向の電子銃側に落とし込まれてはいない。また、図７及び図８に示すように、従来の偏向ヨークでは水平偏向コイル１と絶縁枠４の十分な嵌合（位置規制）を行う為に、水平偏向コイル１の大径側ベンドアップ２と小径側ベンドアップ３の間の空間Ａを絶縁枠４の嵌合部Ｂに嵌め込んで位置規制を行い、コンバーゼンス等の画面特性のバラツキを抑えていた。
【０００５】
【特許文献１】
特開平１０−６４４４９号公報
【０００６】
【発明が解決しようとする課題】
しかしながら、図９に示すように水平偏向コイル１の大径側ベンドアップ２から生じる磁力線５は陰極線管６の電子銃７から射出される電子（ビーム）の進行方向８と同一であるため、電子（ビーム）の進行方向８の偏向に寄与しない、いわばロス分であり、これにより偏向ヨークの消費電力をロスしていた。
【０００７】
また、これを解決するために図１０に示すように水平偏向コイル１のベンドアップを無くした巻線（いわゆるベンドアップレス巻線）方式が採用されてきたが、ベンドアップレスにしたことで図１１に示すように絶縁枠４の嵌合部Ｂと嵌合させる部分がなくなり、位置規制が不安定になることで組立て精度にバラツキが生じ、コンバーゼンス等の画面特性のバラツキが大きくなっていた。以上のことから、従来の偏向ヨークでは、消費電力の低減と水平偏向コイルと絶縁枠の十分な嵌合（位置規制）によるコンバーゼンス等のバラツキ低減を両立できないという課題を有していた。
【０００８】
本発明は前述の従来の問題点を解決するもので、偏向ヨークの消費電力を低減させると共に水平偏向コイルと絶縁枠の十分な嵌合（位置規制）を行い、コンバーゼンス等の画面特性のバラツキを低減できる偏向ヨークを提供することを目的とする。
【０００９】
【課題を解決するための手段】
上記従来の課題を解決するために本発明は、一対の水平偏向コイルと垂直偏向コイルとフェライトコア及びこれらを保持固定する絶縁枠から構成される偏向ヨークであって、水平偏向コイル大径側は鞍型であり、大径側ベンドアップの巻線が陰極線管管軸方向の電子銃側に陰極線管カーブに沿って落とし込まれ、且つベンドアップ形状が大径側ベンドアップの全周あるいは一部の範囲にある。
【００１０】
本発明は上記構成によって、偏向ヨークの消費電力を低減し、且つ水平偏向コイルと絶縁枠との嵌合（位置規制）が確実にでき、コンバーゼンス等の画面特性のバラツキを低減できる。
【００１１】
【発明の実施の形態】
請求項１記載の発明は、一対の水平偏向コイルと垂直偏向コイルとフェライトコア及びこれらを保持固定する絶縁枠を具備する偏向ヨークであって、水平偏向コイルは鞍型であり、大径側ベンドアップの巻線が陰極線管管軸方向の電子銃側に陰極線管カーブに沿って落とし込まれ、且つベンドアップ形状が、前記大径側ベンドアップの全周あるいは一部の範囲にある。
【００１２】
請求項２記載の発明は大径側ベンドアップを用いて前記水平偏向コイルと前記絶縁枠の位置規制を行っている。
【００１３】
以下、本発明の実施の形態について図面を参照して説明する。図１は本発明の一実施の形態における水平偏向コイルの正面図、図２は本発明の一実施の形態における水平偏向コイルの側面図、図３は本発明の一実施における偏向ヨークの構成を示す断面図、図４は本発明の一実施の形態における水平偏向コイルの有効長と大径側ベンドアップの厚みの説明図である。
【００１４】
図１及び図２に示すように、一対の鞍型の水平偏向コイル９を巻線する際に、大径側ベンドアップ１０の巻線を陰極線管管軸方向の電子銃側に陰極線管カーブに沿って落とし込んだ巻線とする。その際、図３に示すように、水平偏向コイル９の大径側ベンドアップ１０は無くしてしまわず、絶縁枠４との嵌合（位置規制）に必要な最低限の形状だけ残す必要がある。１１は水平偏向コイル９の小径側ベンドアップである。
【００１５】
ここで偏向ヨークの消費電力について考えてみると、一般的には水平偏向コイルの有効長（電子ビームの偏向に寄与する部分）に対するベンドアップ部の形状（厚み）分が消費電力のロスを招いていると考えられている。つまり、図１２に示すように、従来の水平偏向コイル１は大径側ベンドアップ２を有しており、電子ビームの偏向に寄与する水平偏向コイル有効長をＣ、大径側ベンドアップ部の厚みをＤと仮定すると、従来の水平偏向コイル１における大径側ベンドアップ２の消費電力のロス分は下記の式（ａ）にて簡易的に表す事ができる。
・消費電力のロス（％）＝Ｄ／（Ｃ＋Ｄ）×１００  ・・・（ａ）
例として、上記の式（ａ）に一般的な水平偏向コイルの数値例を代入すると、
・水平偏向コイル有効長：Ｃ  ＝  ７５．０ｍｍ
・大径側ベンドアップ厚  ：Ｄ  ＝    ６．５ｍｍ
・消費電力のロス  ＝  ６．５／（７５．０＋６．５）×１００  ＝８．０％となり、大径側ベンドアップ部による消費電力のロス分は８％であることがわかる。そこで、図４に示すように本発明の偏向ヨークでは水平偏向コイル９を巻線する際に大径側ベンドアップ１０の巻線を陰極線管管軸方向の電子銃側に陰極線管カーブに沿って落とし込んだ巻線とし、大径側ベンドアップ１０は絶縁枠４との嵌合（位置規制）に必要な最低限の形状にする事で消費電力のロスを低減している。
【００１６】
ここで従来の偏向ヨークと同様に本発明の偏向ヨークの水平偏向コイル有効長をＣ、大径側ベンドアップ部の厚みをＤと仮定し、一例として上記の式（ａ）に数値例を代入すると、
2004362947.tif 000003
となる。つまり、水平偏向コイル９の大径側ベンドアップ１０の厚みを水平偏向コイル有効長の４％前後になるように設定する事で従来品では成し得る事のできなかった消費電力の低減と水平偏向コイル９と絶縁枠４の十分な嵌合（位置規制）による画面特性のバラツキ低減を両立することが可能となる。
【００１７】
なお、例示した従来及び本発明の水平偏向コイル有効長：Ｃ及び大径側ベンドアップ部の厚み：Ｄの寸法については、陰極線管の画面サイズや偏向角等によって対応する偏向ヨークの大きさや形状が各々違うため、例示した寸法に限定するものではない。
【００１８】
【発明の効果】
以上のように、本発明は水平偏向コイルを巻線する際に大径側ベンドアップの巻線を陰極線管管軸方向の電子銃側に陰極線管カーブに沿って落し込み、且つ大径側ベンドアップは絶縁枠との嵌合（位置規制）に必要な最低限の形状にする事で、消費電力を低減できると共に水平偏向コイルと絶縁枠の十分な嵌合（位置規制）ができるようになり、コンバーゼンス等の画面特性のバラツキも低減できる。
【図面の簡単な説明】
【図１】本発明の一実施の形態における水平偏向コイルの正面図
【図２】本発明の一実施の形態における水平偏向コイルの側面図
【図３】本発明の一実施の形態における偏向ヨークの構成を示す断面図
【図４】本発明の一実施の形態における水平偏向コイル有効長と大径側ベンドアップの厚みの説明図
【図５】従来の水平偏向コイルの正面図
【図６】従来の水平偏向コイルの側面図
【図７】従来の偏向ヨークの構成を示す断面図
【図８】従来の水平偏向コイルと絶縁枠の嵌合説明図
【図９】従来の水平偏向コイルの大径側ベンドアップの磁力線の説明図
【図１０】従来の偏向ヨークの構成を示す断面図
【図１１】従来の水平偏向コイル（ベンドアップレス）と絶縁枠の嵌合説明図
【図１２】従来の水平偏向コイル有効長と大径側ベンドアップの厚みの説明図
【符号の説明】
４  絶縁枠
８  電子（ビーム）の進行方向
９  水平偏向コイル
１０  大径側ベンドアップ
１１  小径側ベンドアップ
【図１】
2004362947.tif 000004
【図２】
2004362947.tif 000005
【図３】
2004362947.tif 000006
【図４】
2004362947.tif 000007
【図５】
2004362947.tif 000008
【図６】
2004362947.tif 000009
【図７】
2004362947.tif 000010
【図８】
2004362947.tif 000011
【図９】
2004362947.tif 000012
【図１０】
2004362947.tif 000013
【図１１】
2004362947.tif 000014
【図１２】
2004362947.tif 000015